(57)【要約】【課題】本発明は、仕上げ材を芯材に向けてスライドさせながら差し込むか、またはテイクダウンのワンタッチで行うかの簡単な作業で、仕上げ材を取り付けできる建築用柱のスライド・テイクダウン工法を提供する。【解決手段】予め直立に設置されている芯材１に、該芯材１の係止突条５の溝６に向けて嵌合突条７を有した仕上げ材２を横方向にスライドさせるか又は上方から引き下げるかの作業で所定の位置まで差し込んで係止する。この係止により前記芯材１と前記仕上げ材２が合体状となり、一体化することによって前記仕上げ材２と前記芯材１との合体同士の隣接間に新たな隙間３が現れ、その隙間３の開口部の寸法に合わせた挿入材 (図示省略)を挿入することによって、前記仕上げ材２と前記芯材１が完全に合体状となる。【選択図】図１
2020158950.tif 000002
【特許請求の範囲】
【請求項１】
長手側面の軸方向に沿って平行に複数個の係止突条を設け、前記長手側面と前記係止突条との間に係合溝を形成する角筒体の芯材と、前記係合溝に嵌合する複数個の嵌合突条を平行に設けてなる平板状の仕上げ材と、前記芯材と前記仕上げ材との結合体を固定する挿入材とからなり、
予め直立に設置されている芯材に、該芯材の係止突条の係合溝に向けて嵌合突条を有する仕上げ材を横方向からスライドさせるか又は上方から引き下げるかの作業で所定の位置まで差し込んで係止し、前記芯材の係止突条の係合溝に前記仕上げ材の嵌合突条を嵌合させ合体させた際に、各結合体の隣接間に形成される隙間に前記挿入材を挿入し、前記芯材と前記仕上げ材とを固定することを特徴とする建築用柱のスライド・テイクダウン工法。
【請求項２】
前記芯材は、断面台形状または断面矩形状の角筒体であることを特徴とする請求項１記載の建築用柱のスライド・テイクダウン工法。
【請求項３】
前記係止突条及び前記嵌合突条は、断面Ｌ字状又は断面逆Ｌ字状であることを特徴とする請求項１記載の建築用柱のスライド・テイクダウン工法。
【発明の詳細な説明】
【技術分野】
【０００１】
本発明は、仕上げ材を芯材に取り付けする際に、着脱が容易な建築用柱のスライド・テイクダウン工法に関する。
【背景技術】
【０００２】
従来、コストが安価であり、反りや狂いのない建築用柱が知られており、内部がアルミを素材とした角筒体からなる芯材で構成し、その周囲が安定性のあるＭＤＦ（中密度繊維板）や合板によって側覆材を構成した柱材が知られている（特許文献１を参照）。
【０００３】
この公知技術は、アルミを素材とした角筒体（１）を設け、該角筒体（１）の周面に、前記角筒体（１）の軸方向と平行に係合・係止突起条（２）を適数個突出して設け、かつ前記角筒体（１）の外面には、ＭＤＦまたは合板を素材とした側覆材（３）を配置し、該側覆材（３）の前記角筒体（１）と相対する面には、前記係合・係止突起条（２）が嵌入する溝（３ａ）を設け、一端、あるいは両端をテーパ面（３ｂ）に形成した側覆材（３）に、隣接する側覆材（３）のテーパ面（３ｂ）との当接面に合成樹脂製の角部保護片（４）をさし込み固定する建築用柱の構造である。
【０００４】
この公知技術は、角筒体（１）に設けた係合・係止突起条（２）に、側覆材（３）に設けた溝（３ａ）を接着剤と共に、嵌入・固定するものであり、係合・係止突起条（２）の抜け止め突起（２ｂ）を挿入することにより、堅牢に固定されるものである。
しかしながら、何らかの不良なことで、仕上げ材に部分的に傷や破損等が発生した場合に、その箇所だけ復旧することが困難であるし、簡単に着脱できるものではなかった。
【先行技術文献】
【特許文献】
【０００５】
【特許文献１】特許第２９１６９０６号公報
【発明の概要】
【発明が解決しようとする課題】
【０００６】
本発明は、仕上げ材を芯材に向けてスライドさせながら差し込むか、またはテイクダウンのワンタッチで行うかの簡単な作業で、仕上げ材を取り付けできる建築用柱のスライド・テイクダウン工法を提供することを目的とする。
【課題を解決するための手段】
【０００７】
本発明の建築用柱のスライド・テイクダウン工法は、長手側面の軸方向に沿って平行に複数個の係止突条を設け、前記長手側面と前記係止突条との間に係合溝を形成する角筒体の芯材と、前記係合溝に嵌合する複数個の嵌合突条を平行に設けてなる平板状の仕上げ材と、前記芯材と前記仕上げ材との結合体を固定する挿入材とからなり、
予め直立に設置されている芯材に、該芯材の係止突条の係合溝に向けて嵌合突条を有する仕上げ材を横方向からスライドさせるか又は上方から引き下げるかの作業で所定の位置まで差し込んで係止し、前記芯材の係止突条の係合溝に前記仕上げ材の嵌合突条を嵌合させ合体させた際に、各結合体の隣接間に形成される隙間に前記挿入材を挿入し、前記芯材と前記仕上げ材とを固定する。
【発明の効果】
【０００８】
本発明の建築用柱のスライド・テイクダウン工法は、仕上げ材を芯材に向けてスライドさせながら差し込むか、またはテイクダウンの引き下げながら差し込むワンタッチで行うかの簡単な作業で取り付けができ、また現場内での加工が不要なことも併せて工期の短縮に繋げることができる。
本発明の建築用柱のスライド・テイクダウン工法は、通常のビス・ボルト・接着などによる接合法と違い、接合部の隙間部にくさびを挿入して固定するか又は挿入材で固定するかの設置システムによって、地震等による瞬時の応力に対して、接合部の隙間で緩衝的な機能を負うことによって応力が逓減（ていげん）される。
本発明の建築用柱のスライド・テイクダウン工法は、着脱が容易なため、何らかの不良なことで、仕上げ材に部分的に傷や破損等が発生した場合でも、その箇所だけ復旧することができる。
【図面の簡単な説明】
【０００９】
【図１】本発明の建築用柱のスライド・テイクダウン工法の実施例１の斜視図である。
【図２】本発明の建築用柱のスライド・テイクダウン工法の実施例１の平面図である。
【図３】本発明の建築用柱のスライド・テイクダウン工法の実施例２の斜視図である。
【発明を実施するための形態】
【００１０】
本発明の建築用柱のスライド・テイクダウン工法に使用されるアップグレード製品を以下に説明する。
アップグレード製品は、アルミ型材、角パイプ材やＨ鋼材などからなる係合突条を備えた角筒体の芯材と、該芯材の前記係合突条に取り付け固定される再生木被覆材、集成材、ＳＵＳ鋼板などからなる平板状の仕上げ材と、前記芯材と前記仕上げ材との結合体を固定する挿入材とからなる。
前記芯材は、長手側面の軸方向に沿って平行に複数個の係止突条を設け、前記芯材の長手側面と係止突条との間に係合溝を形成する。
前記仕上げ材は、前記芯材の長手側面を覆う板材からなり、前記係合溝に嵌合する複数個の嵌合突条を平行に設ける。
前記挿入材は、前記芯材の係止突条の係合溝に前記仕上げ材の嵌合突条を嵌合合体させた際に、各嵌合合体間に形成される隙間に挿入され、前記芯材と前記仕上げ材とを固定する。
【００１１】
次に、本発明の建築用柱のスライド・テイクダウン工法について手順を追って説明する。
予め直立に設置されている芯材に、該芯材の係止突条の係合溝に向けて嵌合突条を有する仕上げ材を横からスライドさせるか又は上から引き下げる(テイクダウン)かの作業で所定の位置まで差し込んで係止する。
この係止により前記芯材と前記仕上げ材が合体状となり、一体化することによって前記仕上げ材と前記芯材との合体同士の隣接間に隙間が現れ、その隙間の開口部の寸法に合わせた挿入材を挿入することによって、前記仕上げ材と前記芯材が完全に合体状となる。
前記隙間に挿入した挿入材はくさび的な役割をしているため、前記仕上げ材は前記芯材から剥がれることはない。
【００１２】
そして、前記仕上げ材を剥がすためには、挿入した挿入材を取り除き。前記仕上げ材を逆方向へスライドさせるか又は上方に引き上げると、前記仕上げ材と前記芯材は以前の分離した状態に戻る。
このように、合体状とした隙間から挿入材の出し入れを容易にできることは、脱着作業が容易にできることになるから、何らかの事情でメンテナンスが発生しても、容易に対応できることに繋がる。
また、通常のビス等による直（じか）固定の仕方との大きな違いは、前記仕上げ材と前記芯材の結合部に設けている隙間部分で仕上げ材の反り・熱による線膨張の伸縮・地震等に発生する瞬時の応力を緩和する役割も兼ねている。
このように動きに追従できる機構は直固定法にはないシステムである。
【実施例１】
【００１３】
図１の斜視図、図２の平面図に示すように、アルミ型材、角パイプ材やＨ鋼材などからなる断面台形状の角筒体の芯材１と、該芯材１の外表面に取り付け固定される再生木被覆材、集成材、ＳＵＳ鋼板などからなる平板状の仕上げ材２と、前記芯材１と前記仕上げ材２との結合体の隙間に挿入される挿入材(図示省略)とからなる。
前記芯材１は、長手側面４の軸方向に沿って平行に複数個の断面Ｌ字状の係止突条５を設け、前記長手側面４と係止突条５との間に溝６を形成する。
前記仕上げ材２は、前記芯材１の長手側面４を覆う板材からなり、前記溝６に嵌合する複数個の断面逆Ｌ字状の嵌合突条７を平行に設ける。
前記挿入材(図示省略)は、前記芯材１の係止突条５の溝６に前記仕上げ材２の嵌合突条７を嵌合させ合体させた際に、各合体間に形成される隙間３に挿入され、前記芯材１と前記仕上げ材２とを固定する。
また、前記挿入材(図示省略)に代えて、図２に示すように、前記芯材１と前記仕上げ材２との空間部にくさび９を挿入して固定することもできる。
【００１４】
次に、実施例１の建築用柱のスライド・テイクダウン工法について手順を追って説明する。
予め直立に設置されている芯材１に、該芯材１の係止突条５の溝６に向けて嵌合突条７を有する仕上げ材２を横方向にスライドさせるか又は上方から引き下げる(テイクダウン)かの作業で所定の位置まで差し込んで係止する。
この係止により前記芯材１と前記仕上げ材２が合体状となり、一体化することによって前記仕上げ材２と前記芯材１との合体同士の隣接間に新たな隙間３が現れ、その隙間３の開口部の寸法に合わせた挿入材(図示省略)を挿入することによって、前記仕上げ材２と前記芯材１が完全に合体状となる。
前記隙間３に挿入した挿入材(図示省略)はくさび的な役割をしているため、前記仕上げ材２は前記芯材１から剥がれることはない。
【００１５】
そして、前記仕上げ材２を剥がすためには、挿入した挿入材(図示省略)を取り除き、前記仕上げ材２を逆方向へスライドさせるか上方へ引き上げると、前記仕上げ材２と前記芯材１は以前の分離した状態に戻る。
このように、新たに現れた隙間３に挿入材(図示省略)の出し入れが容易にできることは、脱着作業が容易にできることから、何らかの事情でメンテナンスが発生しても、容易に対応できることに繋がる。
また、通常のビス等による直固定の仕方と大きな違いは、前記仕上げ材２と前記芯材１の結合部に設けている隙間３部分で仕上げ材２の反り・熱による線膨張の伸縮・地震等に発生する瞬時の応力を緩和する役割も兼ねている。
このように動きに追従できる機構は直固定法にはないシステムである。
【実施例２】
【００１６】
図３の斜視図に示すように、アルミ型材、角パイプ材やＨ鋼材などからなる断面矩形状の角筒体の芯材８と、該芯材８の外表面に取り付け固定される再生木被覆材、集成材、ＳＵＳ鋼板などからなる平板状の仕上げ材２と、前記芯材８と前記仕上げ材２との隙間に挿入される挿入材(図示省略)とからなる。
前記芯材８は、長手側面４の軸方向に沿って平行に複数個の断面Ｌ字状の係止突条５を設け、前記長手側面４と係止突条５との間に溝６を形成する。
前記仕上げ材２は、前記芯材８の長手側面４を覆う板材からなり、前記溝６に嵌合する複数個の断面逆Ｌ字状の嵌合突条７を平行に設ける。
前記挿入材３は、前記芯材８の係止突条５の溝６に前記仕上げ材２の嵌合突条７を嵌合させ合体させた際に、各合体間に形成される隙間３に挿入され、前記芯材８と前記仕上げ材２とを固定する。
【００１７】
次に、実施例２の建築用柱のスライド・テイクダウン工法について手順を追って説明する。
予め直立に設置されている芯材８に、該芯材１の係止突条５の溝６に向けて嵌合突条７を有した仕上げ材２を横方向にスライドさせるか又は上方から引き下げる(テイクダウン)かの作業で所定の位置まで差し込んで係止する。
この係止により前記芯材８と前記仕上げ材２が合体状となり、一体化することによって前記仕上げ材２と前記芯材８との合体同士の隣接間に新たな隙間３が現れ、その隙間３の開口部の寸法に合わせた挿入材(図示省略)を挿入することによって、前記仕上げ材２と前記芯材８が完全に合体状となる。
前記隙間３に挿入した挿入材(図示省略)はくさび的な役割をしているため、前記仕上げ材２は前記芯材１から剥がれることはない。
実施例１と実施例２との違いは、前記芯材１と前記芯材８とが断面台形状か断面矩形状かの違いである。
【符号の説明】
【００１８】
１  芯材
２  仕上げ材
３  隙間
４  長手側面
５  係止突条
６  溝
７  嵌合突条
８  芯材
９  くさび
【図１】
2020158950.tif 000003
【図２】
2020158950.tif 000004
【図３】
2020158950.tif 000005